(57)【要約】      （修正有）【課題】着用者の快適性をより向上できる着用物品を提供する。【解決手段】着用物品は、前胴回り域の幅方向の中央に位置する前中央領域と、後胴回り域の幅方向の中央に位置する後中央領域と、前中央領域と後中央領域との間に配置されたサイド領域と、を有する。前中央領域は、前中央領域の前端縁から長手方向の全長に対する０〜３０％の前第１領域ＦＣ１と、前中央領域の前端縁から長手方向の全長に対する３０〜６０％の前第２領域ＦＣ２と、を有する。後中央領域は、後中央領域の前端縁から長手方向の全長に対する３０〜６０％の後第２領域ＲＣ２を有する。サイド領域は、サイド領域の前端縁から長手方向の全長に対する３０〜６０％のサイド第２領域ＳＲ２を有する。前第１領域の着用物品の着用時の圧力及び前第２領域の着用時の圧力は、後第２領域の着用時の圧力よりも低く、かつサイド第２領域の着用時の圧力よりも低い。【選択図】図３
2020014558.tif 000002
【特許請求の範囲】
【請求項１】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の前端縁から前記後中央領域の前記長手方向の全長に対する３０〜６０％の後第２領域を有し、
前記サイド領域は、前記サイド領域の前端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低い、着用物品。
【請求項２】
前記サイド第２領域の前記着用時の圧力は、前記前第１領域の前記着用時の圧力及び前記前第２領域の前記着用時の圧力に対する１．２倍以上３．０倍以下である、請求項１の着用物品。
【請求項３】
前記後第２領域の前記着用時の圧力は、前記前第１領域の前記着用時の圧力及び前記前第２領域の前記着用時の圧力に対する１．２倍以上３．０倍以下である、請求項１又は請求項２の着用物品。
【請求項４】
前記後中央領域は、前記後中央領域の前端縁から前記後中央領域の前記長手方向の全長に対する６０〜８０％の後第３領域を有し、
前記サイド領域は、前記サイド領域の前端縁から前記サイド領域の前記長手方向の全長に対する６０〜８０％のサイド第３領域を有し、
前記前第１領域の前記着用時の圧力及び前記前第２領域の前記着用時の圧力は、前記後第３領域の前記着用時の圧力よりも低く、かつ前記サイド第３領域の前記着用時の圧力よりも低い、請求項１から請求項３のいずれか１項に記載の着用物品。
【請求項５】
前記サイド第３領域の前記着用時の圧力は、前記前第１領域の前記着用時の圧力及び前記前第２領域の前記着用時の圧力に対する１．２倍以上３．０倍以下である、請求項４に記載の着用物品。
【請求項６】
前記後第３領域の前記着用時の圧力は、前記前第１領域の前記着用時の圧力及び前記前第２領域の前記着用時の圧力に対する１．１倍以上２．５倍以下である、請求項４又は請求項５に記載の着用物品。
【請求項７】
前記後胴回り域には、前記幅方向に伸縮する糸状又は帯状の後伸縮部材が設けられており、
前記後伸縮部材は、前記後第３領域に配置されており、
前記後第３領域には、吸収コアが配置されている、請求項６に記載の着用物品。
【請求項８】
前記後胴回り域には、前記幅方向に伸縮する糸状又は帯状の後伸縮部材が設けられており、
前記後伸縮部材は、前記後第３領域に配置されている、請求項４から請求項６のいずれか１項に記載の着用物品。
【請求項９】
前記後第３領域の前記着用時の圧力は、前記後第２領域の前記着用時の圧力よりも低い、請求項４から請求項８のいずれか１項に記載の着用物品。
【請求項１０】
前記後中央領域は、前記後中央領域の前端縁から前記後中央領域の前記長手方向の全長に対する８０〜１００％の後第４領域を有し、
前記後第４領域の前記着用時の圧力は、前記前第１領域の前記着用時の圧力及び前記前第２領域の前記着用時の圧力よりも低い、請求項１から請求項９のいずれか１項に記載の着用物品。
【請求項１１】
前記サイド領域は、前記サイド領域の前端縁から前記サイド領域の前記長手方向の全長に対する８０〜１００％のサイド第４領域を有し、
前記サイド第４領域の圧力は、前記前第１領域の圧力及び前記前第２領域の圧力よりも低い、請求項１から請求項１０のいずれか１項に記載の着用物品。
【請求項１２】
前記前中央領域は、前記前中央領域の前端縁から前記前中央領域の前記長手方向の全長に対する６０〜８０％の前第３領域を有し、
前記前第３領域の前記着用時の圧力は、前記前第１領域の前記着用時の圧力及び前記前第２領域の前記着用時の圧力よりも高い、請求項１から請求項１１のいずれか１項に記載の着用物品。
【請求項１３】
前記前第３領域の前記着用時の圧力は、前記前第１領域の前記着用時の圧力及び前記前第２領域の前記着用時の圧力に対する１．２倍以上３．５倍以下である、請求項１２に記載の着用物品。
【請求項１４】
前記前胴回り域には、前記幅方向に伸縮する糸状又は帯状の前伸縮部材と、少なくとも前記幅方向に伸縮する伸縮シートと、が設けられており、
前記前第３領域には、前記前伸縮部材が配置されており、
前記前第１領域及び前記前第２領域には、前記伸縮シートが配置されている、請求項１２又は請求項１３に記載の着用物品。
【請求項１５】
前記前第３領域には、前記前伸縮部材及び前記伸縮シートが配置されている、請求項１４に記載の着用物品。
【請求項１６】
前記後中央領域全体の前記着用時の圧力は、前記前中央領域全体の前記着用時の圧力よりも大きい、請求項１から請求項１５のいずれか１項に記載の着用物品。
【発明の詳細な説明】
【技術分野】
【０００１】
本発明は、前胴回り域、後胴回り域、及び股下域を有する着用物品に関する。
【背景技術】
【０００２】
着用物品は、前胴回り域、後胴回り域、及び股下域を有し、身体の腹部及び臀部を覆うように装着される。特許文献１には、前胴回り域と後胴回り域のそれぞれに所定の圧力の領域を設け、着用者の身体に対するフィット性を向上できる着用物品が開示されている。所定の圧力の領域は、前胴回り域の幅方向の側部と、後胴回り域の幅方向の側部と、に設けられており、着用者の腸骨陵から上前腸骨棘にかけての腸骨領域に配置される。特許文献１には、腹部の膨らみを締め付けずに、腸骨領域を締め付けることで、着用物品のずれ落ちを抑制することが記載されている。
【先行技術文献】
【特許文献】
【０００３】
【特許文献１】特開２０１６−６１８８２号
【発明の概要】
【発明が解決しようとする課題】
【０００４】
特許文献１の着用物品のように、着用物品のずれ落ちを抑制することにより、着用者の快適性が向上できることが考えられる。しかし、出願人が鋭意研究を重ねたところ、着用者の快適性は、着用物品のずれ落ちのみならず、種々の要因に起因していることがわかった。
【０００５】
そこで、着用者の快適性をより向上できる着用物品が望まれる。
【課題を解決するための手段】
【０００６】
一態様に係る着用物品は、互いに直交する長手方向及び幅方向と、前胴回り域、後胴回り域、及び前記前胴回り域及び前記後胴回り域との間に配置された股下域と、前記前胴回り域の外側部と前記後胴回り域の外側部を接合するサイド接合部と、前記前胴回り域の前記幅方向の中央に位置する前中央領域と、前記後胴回り域の前記幅方向の中央に位置する後中央領域と、前記前中央領域と前記後中央領域との間に配置されたサイド領域と、を有する着用物品であって、前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、前記後中央領域は、前記後中央領域の前端縁から前記後中央領域の前記長手方向の全長に対する３０〜６０％の後第２領域を有し、前記サイド領域は、前記サイド領域の前端縁から前記サイド領域の前記長手方向の全長に対する３０〜６０％のサイド第２領域を有し、前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低い。
【図面の簡単な説明】
【０００７】
【図１】実施形態に係る着用物品の平面図である。
【図２】実施形態に係る着用物品の前中央領域、サイド領域及び後中央領域及を示した図である。
【図３】実施形態に係る着用物品の装着状態を模式的に示した図である。
【図４】実施形態に係る着用物品の装着状態を模式的に示した図である。
【図５】実施形態に係る着用物品の装着状態を模式的に示した図である。
【発明を実施するための形態】
【０００８】
（１）実施形態の概要
本明細書及び添付図面の記載により、少なくとも以下の事項が明らかとなる。
一態様に係る着用物品は、互いに直交する長手方向及び幅方向と、
前胴回り域、後胴回り域、及び前記前胴回り域及び前記後胴回り域との間に配置された股下域と、前記前胴回り域の外側部と前記後胴回り域の外側部を接合するサイド接合部と、前記前胴回り域の前記幅方向の中央に位置する前中央領域と、前記後胴回り域の前記幅方向の中央に位置する後中央領域と、前記前中央領域と前記後中央領域との間の前記幅方向の中央に位置するサイド領域と、を有する着用物品であって、前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、前記後中央領域は、前記後中央領域の前端縁から前記後中央領域の前記長手方向の全長に対する３０〜６０％の後第２領域を有し、前記サイド領域は、前記サイド領域の前端縁から前記サイド領域の前記長手方向の全長に対する３０〜６０％のサイド第２領域を有し、前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低い。
【０００９】
前第１領域及び前第２領域は、着用者の腹部の膨らみに対向して配置される。前第１領域の前記着用時の圧力及び前第２領域の着用時の圧力が後第２領域の前記着用時の圧力及びサイド第２領域の前記着用時の圧力よりも低く、着用者の腹部の膨らみを締め付けすぎない。
【００１０】
また、後第２領域は、着用者の臀部の膨らみの頂点よりも上側に位置し、骨盤（上後腸骨棘及び仙骨上方周辺）に対向して配置され、サイド第２領域は、骨盤（上前腸骨棘付近）に対向して配置される。後第２領域の前記着用時の圧力及びサイド第２領域の前記着用時の圧力は、前第１領域の前記着用時の圧力及び前第２領域の前記着用時の圧力よりも高く、着用者の骨盤を締め付けるようにフィットする。出願人が着用者の快適性を研究した結果、着用物品が骨盤に対して締め付けるようにフィットすると、着用者が心地よく感じ、快適性が向上することがわかった。よって、本発明に係る着用物品によれば、着用者の腹部の膨らみを締め付けず、かつ、骨盤を締め付けることで、着用者の快適性を向上できる。
【００１１】
好ましい一態様によれば、前記サイド第２領域の前記着用時の圧力は、前記前第１領域の前記着用時の圧力及び前記前第２領域の前記着用時の圧力に対する１．２倍以上３．０倍以下であってよい。
【００１２】
本態様によれば、サイド第２領域の着用時の圧力が、前第１領域の着用時の圧力及び前第２領域の着用時の圧力に対する１．２倍以上であるため、骨盤に対する締め付けと腹部の膨らみに対する締め付けとの差を大きくし、快適性をより向上できる。また、サイド第２領域の着用時の圧力が前第１領域の着用時の圧力及び前第２領域の着用時の圧力に対する３．０倍以下であるため、骨盤に対する締め付け力が高すぎることに起因する快適性の低下を抑制できる。
【００１３】
好ましい一態様によれば、前記後第２領域の前記着用時の圧力は、前記前第１領域の前記着用時の圧力及び前記前第２領域の前記着用時の圧力に対する１．２倍以上３．０倍以下であってよい。
【００１４】
本態様によれば、後第２領域の着用時の圧力が前第１領域の着用時の圧力及び前第２領域の着用時の圧力に対する１．２倍以上であるため、骨盤に対する締め付けと腹部の膨らみに対する締め付けとの差を大きくし、快適性をより向上できる。また、後第２領域の前記着用時の圧力が前第１領域の前記着用時の圧力及び前第２領域の前記着用時の圧力に対する３．０倍以下であるため、骨盤に対する締め付け力が高すぎることに起因する快適性の低下を抑制できる。
【００１５】
好ましい一態様によれば、前記後中央領域は、前記後中央領域の前端縁から前記後中央領域の前記長手方向の全長に対する６０〜８０％の後第３領域を有し、前記サイド領域は、前記サイド領域の前端縁から前記サイド領域の前記長手方向の全長に対する６０〜８０％のサイド第３領域を有し、前記前第１領域の前記着用時の圧力及び前記前第２領域の前記着用時の圧力は、前記後第３領域の前記着用時の圧力よりも低く、かつ前記サイド第３領域の前記着用時の圧力よりも低くてよい。
【００１６】
前第１領域の着用時圧力及び前第２領域の着用時圧力は、後第３領域の着用時圧力及びサイド第３領域の着用時圧力よりも低く、着用者の腹部の膨らみを締め付けすぎない。
【００１７】
また、後第３領域は、骨盤（仙骨下方）に対向して配置され、サイド第３領域は、骨盤（下前腸骨棘付近）に対向して配置される。後第３領域の着用時圧力及びサイド第３領域の着用時圧力は、前第１領域の着用時圧力及び前第２領域の着用時圧力よりも高く、着用者の骨盤を締め付けるようにフィットする。着用物品が骨盤に対して締め付けるようにフィットすることにより、着用者が心地よく感じ、快適性が向上する。
【００１８】
好ましい一態様によれば、前記サイド第３領域の前記着用時の圧力は、前記前第１領域の前記着用時の圧力及び前記前第２領域の前記着用時の圧力に対する１．２倍以上３．０倍以下であってよい。
【００１９】
本態様によれば、サイド第３領域の着用時圧力が前第１領域の着用時圧力及び前第２領域の着用時圧力に対する１．２倍以上であるため、骨盤に対する締め付けと腹部の膨らみに対する締め付けとの差を大きくし、快適性をより向上できる。また、サイド第３領域の着用時圧力が前第１領域の着用時の圧力及び前第２領域の着用時の圧力に対する３．０倍以下であるため、骨盤に対する締め付け力が高すぎることに起因する快適性の低下を抑制できる。
【００２０】
好ましい一態様によれば、前記後第３領域の前記着用時の圧力は、前記前第１領域の前記着用時の圧力及び前記前第２領域の前記着用時の圧力に対する１．１倍以上２．５倍以下であってよい。
【００２１】
本態様によれば、後第３領域の着用時の圧力が前第１領域の着用時の圧力及び前第２領域の着用時の圧力に対する１．１倍以上であるため、骨盤に対する締め付けと腹部の膨らみに対する締め付けとの差を大きくし、快適性をより向上できる。また、後第３領域の着用時の圧力が前第１領域の前記着用時の圧力及び前第２領域の前記着用時の圧力に対する２．５倍以下であるため、骨盤に対する締め付け力が高すぎることに起因する快適性の低下を抑制できる。
【００２２】
好ましい一態様によれば、前記後胴回り域には、前記幅方向に伸縮する糸状又は帯状の後伸縮部材が設けられており、前記後伸縮部材は、前記後第３領域に配置されており、前記後第３領域には、吸収コアが配置されてよい。
【００２３】
本態様によれば、後伸縮部材によって後第３領域が幅方向に収縮することで骨盤に対するフィット性を高め、快適性を向上できる。また、後第３領域の圧力が前第１領域の圧力及び前第２領域の圧力に対する２．５倍以下であり、後伸縮部材の収縮によって吸収コアの幅方向の長さが短くなり過ぎることを抑制できる。吸収面積を確保し、漏れの発生を抑制できる。
【００２４】
好ましい一態様によれば、前記後胴回り域には、前記幅方向に伸縮する糸状又は帯状の後伸縮部材が設けられており、前記後伸縮部材は、前記後第３領域に配置されてよい。
【００２５】
本態様によれば、後伸縮部材によって骨盤に対するフィット性を高め、快適性を向上できる。
【００２６】
好ましい一態様によれば、前記後第３領域の前記着用時の圧力は、前記後第２領域の前記着用時の圧力よりも低くてよい。
【００２７】
後第３領域は、後第２領域よりも臀部の膨らみの頂点の近くに配置される。装着時の着用物品の引き上げが十分でない場合に、後第３領域が臀部の膨らみの頂点に重なり、臀部の頂点に対して締め付けるようにフィットした後第３領域が下にずれるおそれがある。後第３領域の圧力が後第２領域の圧力よりも低いため、着用物品のずれ下がりを抑制できる。着用物品を身体の適切な位置に装着し続けることにより、快適性を向上できる。
【００２８】
好ましい一態様によれば、前記後中央領域は、前記後中央領域の前端縁から前記後中央領域の前記長手方向の全長に対する８０〜１００％の後第４領域を有し、前記後第４領域の前記着用時の圧力は、前記前第１領域の前記着用時の圧力及び前記前第２領域の前記着用時の圧力よりも低くてよい。
【００２９】
後第４領域は、臀部の膨らみの頂点に対向して配置される。臀部の頂点に対する締め付け力が高すぎると、後第４領域が下にずれるおそれがある。しかし、後第４領域の着用時の圧力を抑え、着用物品のずれ下がりを抑制できる。着用物品を身体の適切な位置に装着し続けることにより、快適性を向上できる。
【００３０】
好ましい一態様によれば、前記サイド領域は、前記サイド領域の前端縁から前記サイド領域の前記長手方向の全長に対する８０〜１００％のサイド第４領域を有し、前記サイド第４領域の圧力は、前記前第１領域の圧力及び前記前第２領域の圧力よりも低くてよい。
【００３１】
サイド第４領域は、脚の付け根に対向して配置される。脚の付け根に対する締め付け力が高すぎると、着用者が脚を動かし難くなるおそれがある。サイド第４領域の着用時の圧力を抑え、脚を動かし難くなることに起因する快適性の低下を抑制できる。
【００３２】
好ましい一態様によれば、前記前中央領域は、前記前中央領域の前端縁から前記前中央領域の前記長手方向の全長に対する６０〜８０％の前第３領域を有し、前記前第３領域の前記着用時の圧力は、前記前第１領域の前記着用時の圧力及び前記前第２領域の前記着用時の圧力よりも高くてよい。
【００３３】
前第３領域は、着用者の腹部の下端の凹みに対向して配置される。腹部の下端の凹みに配置される前第３領域が前第１領域及び前第２領域よりも凹む形状となる。前中央領域が身体の凹みに沿った形状となるため、前中央領域が身体にフィットし易くなる。前中央領域を身体に対して密着させずに、前中央領域を身体に沿わせてフィットさせ、快適性を向上できる。加えて、着用物品としての吸収性物品においては、体液の吸収によって着用物品の重量が重くなった場合においても、着用物品がずれ下がり難くなる。
【００３４】
好ましい一態様によれば、前記前第３領域の前記着用時の圧力は、前記前第１領域の前記着用時の圧力及び前記前第２領域の前記着用時の圧力に対する１．２倍以上３．５倍以下であってよい。
【００３５】
前第３領域の着用時の圧力が前第１領域の着用時の圧力及び前第２領域の着用時の圧力に対する１．２倍以上であるため、前中央領域を身体に沿わせてズレを抑制し、快適性をより向上できる。前第３領域の着用時の圧力が前第１領域の着用時の圧力及び前第２領域の着用時の圧力に対する３．５倍以下であるため、腹部の下端の凹みに対する締め付け力が高すぎることに起因する快適性の低下を抑制できる。
【００３６】
好ましい一態様によれば、前記前胴回り域には、前記幅方向に伸縮する糸状又は帯状の前伸縮部材と、少なくとも前記幅方向に伸縮する伸縮シートと、が設けられており、前記前第３領域には、前記前伸縮部材が配置されており、前記前第１領域及び前記前第２領域には、前記伸縮シートが配置されてよい。
【００３７】
伸縮シートが配置された部分は、全体的に面でフィットし、糸状又は帯状の前伸縮部材が配置された部分は、局所的にフィットする。腹部の膨らみを覆うように着用物品を配置するとともに、腹部の下端の凹みに対して局所的にフィットすることにより、着用物品がより身体の形状に沿い易くなり、快適性をより向上できる。
【００３８】
好ましい一態様によれば、前記前第３領域には、前記前伸縮部材及び前記伸縮シートが配置されてよい。
【００３９】
前第３領域には、伸縮シートと前伸縮部材の両方が配置され、着用時の圧力がより高くなる。腹部の下端の凹みに対する締め付けと腹部の膨らみに対する締め付けとの差が大きくでき、前中央領域を身体により沿うようにフィットさせ、快適性をより向上できる。
【００４０】
好ましい一態様によれば、前記後中央領域全体の前記着用時の圧力は、前記前中央領域全体の前記着用時の圧力よりも大きくてよい。
【００４１】
一般的に人が動作をするときには、前側に前屈することが多い。腹側の圧力を低下させることにより締め付けが起り難く、着用者の動作を阻害しない。よって、快適性を向上できる。
【００４２】
（２）着用物品の全体概略構成
以下、図面を参照して、実施形態に係る着用物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４３】
着用物品は、パンツ型の着用物品であり、使い捨ておむつ及びショーツ型ナプキン等の吸収性物品であってもよいし、下着であってもよい。実施形態の着用物品は、パンツ型の使い捨ておむつである。図１は、本実施形態に係る使い捨ておむつ１０の模式平面図である。図１に示す模式平面図は、後述するサイド接合部６０を展開した状態において着用物品１０を皺が形成されない状態まで伸長させた伸長状態を示している。
【００４４】
着用物品１０は、互いに直交する長手方向Ｌ及び幅方向Ｗを有する。長手方向Ｌは、身体前側と身体後側とに延びる方向によって規定される。言い換えると、長手方向Ｌは、展開された着用物品１０において前後に延びる方向である。また、着用物品１０は、長手方向Ｌと幅方向Ｗの両方の直交する厚み方向を有する。
【００４５】
着用物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。
【００４６】
本実施形態では、着用物品１０は、外装体と、吸収性本体４０と、を有していてよい。外装体は、吸収性本体４０の非肌面側に配置される。外装体は、前胴回り部材２０と、後胴回り部材３０と、を有する。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００４７】
幅方向Ｗにおける前胴回り域Ｓ１の外側部と、幅方向Ｗにおける後胴回り域Ｓ２の外側部と、が接合されたサイド接合部６０が設けられていている。サイド接合部６０は、幅方向Ｗにおける前胴回り域Ｓ１の端部と、幅方向Ｗにおける後胴回り域Ｓ２の端部とを互いに係止した部分によって規定される。
【００４８】
サイド接合部６０が形成された状態で、着用物品１０には、着用者の胴が通される胴回り開口部と、着用者の脚がそれぞれ挿入される一対の脚回り開口部と、が形成される。胴回り開口部は、前胴回り域Ｓ１の前端縁と、後胴回り域Ｓ２の後端縁とによって規定されていてよい。
【００４９】
ここで、図１は、サイド接合部６０における接合を解除し、着用物品１０を展開した状態を示している。サイド接合部６０は、前胴回り部材２０及び後胴回り部材３０のそれぞれにおいて、長手方向Ｌに沿って延びていてよい。この場合、前胴回り域Ｓ１と股下域Ｓ３との境界は、前胴回り部材２０に設けられたサイド接合部６０の後端縁によって規定されていてよい。同様に、後胴回り域Ｓ２と股下域Ｓ３との境界は、後胴回り部材３０に設けられたサイド接合部６０の前端縁によって規定されていてよい。
【００５０】
後胴回り域Ｓ２には、幅方向Ｗに伸縮可能な後伸縮部材３２が配置されていてよい。後伸縮部材３２は、幅方向Ｗに伸縮可能な糸状又は帯状のゴムによって構成されてよい。後伸縮部材３２は、幅方向Ｗに沿っており、長手方向Ｌに間隔を空けて複数配置されてよい。なお、本実施の形態において、後伸縮部材３２は、幅方向に伸縮可能な状態で配置された部材であって、幅方向に伸縮できない状態で配置された部材を含まない。また、後胴回り域Ｓ２には、少なくとも幅方向に伸縮する伸縮シートが配置されてよい。伸縮シートは、後胴回り部材３０自体によって構成され、後胴回り域の全域に配置されてよい。後胴回り域Ｓ２には、伸縮シートが配置されてなく、後伸縮部材３２のみが配置されていてよい。後伸縮部材３２が配置された領域における着用時の圧力（以下、着用時圧力とする）は、後伸縮部材３２が配置されていない領域における着用時圧力よりも高くなり易い。また、他の形態において、後胴回り域Ｓ２には、伸縮シートが配置され、かつ後伸縮部材３２が配置されていない領域と、後伸縮シートと後伸縮部材３２の両方が配置された領域と、が設けられていてもよい。後伸縮シートと後伸縮部材３２の両方が配置された領域における着用時圧力は、伸縮シートのみが配置された領域における着用時圧力よりも高くなり易い。なお、着用時圧力については、後述にて詳細に説明する。
【００５１】
前胴回り域Ｓ１には、幅方向Ｗに伸縮可能な前伸縮部材２２が配置されていてよい。前伸縮部材２２は、幅方向Ｗに伸縮可能な糸状又は帯状のゴムによって構成されてよい。前伸縮部材２２は、幅方向Ｗの中央が股下域Ｓ３側に湾曲している。前伸縮部材２２は、長手方向Ｌに間隔を空けて複数配置されてよい。なお、本実施の形態において、前伸縮部材２２は、幅方向に伸縮可能な状態で配置された部材であって、幅方向に伸縮できない状態で配置された部材を含まない。また、前胴回り域Ｓ１には、少なくとも幅方向に伸縮する伸縮シートが配置されてよい。伸縮シートは、前胴回り部材２０自体によって構成され、前胴回り域Ｓ１の全域に配置されてよい。前胴回り域Ｓ１には、伸縮シートが配置され、かつ前伸縮部材２２が配置されてない領域と、伸縮シートと前伸縮部材２２の両方が配置された領域と、が設けられてよい。伸縮シートと前伸縮部材２２の両方が配置された領域における着用時圧力は、伸縮シートのみが配置された領域における着用時圧力よりも高くなり易い。また、他の形態において、前胴回り域Ｓ１には、伸縮シートが配置されてなく、前伸縮部材２２のみが配置されていてよい。前伸縮部材２２が配置された領域における着用時圧力は、前伸縮部材２２が配置されていない領域における着用時圧力よりも高くなり易い。
【００５２】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００５３】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、長手方向Ｌにおいて、前胴回り域Ｓ１から後胴回り域Ｓ２にわたって延びていてよい。吸収コア５０は、コアラップによって覆われていてよい。さらに、吸収性本体４０は、吸収コアの肌面側に位置する肌面シート４１と、吸収コア５０の非肌面側に位置する非肌面シート（図示せず）と、幅方向Ｗにおける肌面シート４１の両側部を覆うサイドシート４３と、を有していてよい。
【００５４】
図２は、着用物品の前中央領域ＦＣ、サイド領域ＳＲ及び後中央領域ＲＣを模式的に示した図である。着用物品は、前中央領域ＦＣと、後中央領域ＲＣと、サイド領域ＳＲと、を有する。前中央領域ＦＣは、前胴回り域Ｓ１の幅方向の中央に位置する。前中央領域ＦＣの幅方向の中心は、前胴回り域Ｓ１の幅方向の中心と一致する。後中央領域ＲＣは、後胴回り域の幅方向の中央に位置する。後中央領域ＲＣの幅方向の中心は、後胴回り域Ｓ２の幅方向の中心と一致する。サイド領域ＳＲは、前中央領域ＦＣと後中央領域ＲＣとの間に位置し、サイド接合部６０を跨がっている。サイド領域ＳＲの幅方向の中心は、サイド接合部６０（前胴回り域Ｓ１と後胴回り域Ｓ２の境界）と一致してよい。前中央領域ＦＣの外側縁は、サイド領域ＳＲの外側縁に一致し、後中央領域ＲＣの外側縁は、サイド領域ＳＲの外側縁に一致する。すなわち、前中央領域ＦＣ、サイド領域ＳＲ及び後中央領域ＲＣは、連なっている。
【００５５】
本発明の前中央領域ＦＣ、サイド領域ＳＲ、後中央領域ＲＣは、次の方法によって規定できる。まず、着用物品１０のサイド接合部６０を解除し、着用物品１０を展開する。次に、着用物品を伸長状態まで伸長させる。伸長状態とは、弾性部材の収縮等による皺が形成されていない状態である。当該伸長状態において前胴回り域Ｓ１の幅方向の長さ及び後胴回り域Ｓ２の幅方向の長さを測定する。次いで、前胴回り域Ｓ１及び後胴回り域Ｓ２を一定幅に伸長させる。前胴回り域Ｓ１の一定幅は、伸長状態の前胴回り域Ｓ１の幅方向の長さに対する６０％の長さである。後胴回り域Ｓ２の一定幅は、伸長状態の後胴回り域Ｓ２の幅方向の長さに対する６０％の長さである。一定幅の前胴回り域において、幅方向の中心を含み、かつ幅方向の長さが５５％の領域を前中央領域とし、前中央領域と前胴回り域の外側縁との間の領域をサイド領域の一部分とする。また、一定幅の後胴回り域において、幅方向の中心を含み、かつ幅方向の長さが５５％の領域を後中央領域とし、後中央領域と後胴回り域の外側縁との間の領域をサイド領域の一部分とする。本発明のサイド領域は、前中央部の外側縁と後中央部の外側縁との間の領域である。
【００５６】
前中央領域ＦＣには、前中央領域ＦＣの長手方向の全長に対する割合で示される複数の領域が設けられてよい。前中央領域ＦＣは、前胴回り域Ｓ１の前端縁Ｓ１Ｆから０〜３０％後方に位置する前第１領域ＦＣ１と、前胴回り域Ｓ１の前端縁Ｓ１Ｆから３０〜６０％後方に位置する前第２領域ＦＣ２と、前胴回り域Ｓ１の前端縁Ｓ１Ｆから６０〜８０％後方に位置する前第３領域ＦＣ３と、前胴回り域Ｓ１の前端縁Ｓ１Ｆから８０〜１００％後方に位置する前第４領域ＦＣ４と、を有してよい。本実施形態における各領域は、伸長状態における着用物品の長さの割合で規定される。
【００５７】
後中央領域ＲＣには、後中央領域ＲＣの長手方向の全長に対する割合で示される複数の領域が設けられてよい。後中央領域ＲＣは、後胴回り域Ｓ２の後端縁Ｓ２Ｒから０〜３０％前方に位置する後第１領域ＲＣ１と、後胴回り域Ｓ２の後端縁Ｓ２Ｒから３０〜６０％前方に位置する後第２領域ＲＣ２と、後胴回り域Ｓ２の後端縁Ｓ２Ｒから６０〜８０％前方に位置する後第３領域ＲＣ３と、後胴回り域Ｓ２の後端縁Ｓ２Ｒから８０〜１００％後方に位置する後第４領域ＲＣ４と、を有してよい。
【００５８】
サイド領域ＳＲには、サイド領域ＳＲの長手方向の全長に対する割合で示される複数の領域が設けられてよい。サイド領域ＳＲは、サイド領域ＳＲの長手方向の外端縁（サイド接合部６０の長手方向の外端縁）から０〜３０％股下域側に位置するサイド第１領域ＳＲ１と、サイド領域ＳＲの長手方向の外端縁から３０〜６０％股下域側に位置するサイド第２領域ＳＲ２と、サイド領域ＳＲの長手方向の外端縁から６０〜８０％股下域側に位置するサイド第３領域ＳＲ３と、サイド領域ＳＲの長手方向の外端縁から８０〜１００％股下域側に位置するサイド第４領域ＳＲ４と、を有してよい。
【００５９】
図３〜図５は、着用物品が着用者に装着された状態を模式的に示した図である。図３は、立った状態における側面側の装着状態を示しており、図４は、座った状態における腹側の装着状態を示しており、図５は、座った状態における背側の装着状態を示している。図３から図５において、着用者の身体のラインを一点鎖線ＢＬで示し、図３において、身体内部の骨盤の位置を模式的に示す。
【００６０】
図３に示すように、着用物品は、着用者の腰周りを覆うように装着される。着用者の腰周りには、骨盤、腹部の膨らみ、臀部の膨らみ等によって様々の凹凸が形成されている。本実施の形態の着用物品は、凹凸に対して適切にフィットさせ、着用時の快適性を向上できるように構成されている。より詳細には、出願人が着用者の快適性を研究した結果、着用物品が骨盤に対して締め付けるようにフィットすると、着用者が心地よく感じ、快適性が向上することがわかった。また、着用者の腹部の膨らみを締め付けすぎると、快適性が低下する。よって、着用物品は、前第１領域〜前第４領域、後第１領域から後第４領域、及びサイド第１領域からサイド第４領域毎に適した着用時圧力に設計されている。
【００６１】
表１に、領域毎の着用時圧力を示す。
【表１】
2020014558.tif 000003
【００６２】
前第１領域ＦＣ１の着用時圧力及び前第２領域ＦＣ２の着用時圧力は、後第２領域ＲＣ２の着用時圧力及びサイド第２領域ＳＲ２の着用時圧力よりも低い。前第１領域ＦＣ１及び前第２領域ＦＣ２は、腹部の膨らみと対向して配置される。前第１領域ＦＣ１の着用時圧力及び前第２領域ＦＣ２の着用時圧力が後第２領域ＲＣ２の着用時圧力及びサイド第２領域ＳＲ２の着用時圧力よりも低く、着用者の腹部の膨らみを締め付けすぎない。
【００６３】
また、図３に示すように、後第２領域ＲＣ２は、着用者の臀部の膨らみの頂点よりも上側に位置し、骨盤（上後腸骨棘Ｂ２及び仙骨上方周辺）に対向して配置され、サイド第２領域ＳＲ２は、骨盤（上前腸骨棘Ｂ１付近）に対向して配置される。後第２領域ＲＣ２の着用時圧力及びサイド第２領域ＳＲ２の着用時圧力は、前第１領域ＦＣ１の着用時圧力及び前第２領域ＦＣ２の着用時圧力よりも高く、着用者の骨盤を締め付けるようにフィットする。着用物品１０が骨盤に対して締め付けるようにフィットすることにより、着用者が心地よく感じ、快適性が向上する。本実施の形態の着用物品１０によれば、着用者の腹部の膨らみを締め付けず、かつ、骨盤を締め付けることで、着用者の快適性を向上できる。
【００６４】
サイド第２領域ＳＲ２の着用時圧力は、前第１領域ＦＣ１の着用時圧力及び前第２領域ＦＣ２の着用時圧力に対する１．２倍以上３．０倍以下であってよく、好適には、１．５倍以上２．０倍以下であってよい。サイド第２領域ＳＲ２の着用時圧力が前第１領域ＦＣ１の着用時圧力及び前第２領域ＦＣ２の着用時圧力に対する１．２倍未満であると、骨盤に対する締め付けと腹部の膨らみに対する締め付けとの差が小さく、骨盤に対して十分に締め付けることができず、快適性を十分に向上できないことがある。サイド第２領域ＳＲ２の着用時圧力が前第１領域ＦＣ１の着用時圧力及び前第２領域ＦＣ２の着用時圧力に対する１．２倍以上であるため、快適性をより向上できる。
【００６５】
また、サイド第２領域ＳＲ２の着用時圧力を高くすることにより、着用物品全体における身体に対するフィット性を高め、着用物品がずれ下がりを抑制できる。着用物品を身体の適切な位置に装着し続けることにより、快適性を向上できる。
【００６６】
サイド第２領域ＳＲ２の着用時圧力が前第１領域ＦＣ１の着用時圧力及び前第２領域ＦＣ２の着用時圧力に対する３．０倍以下であるため、骨盤に対する締め付け力が高すぎることに起因する快適性の低下を抑制できる。
【００６７】
また、各領域の着用時圧力を高くするために、後伸縮部材３２、前伸縮部材２２及び伸縮シートの少なくともいずれかを各領域に配置することができる。具体的には、前伸縮部材と伸縮シートの両方が配置された領域の着用時圧力及び後伸縮部材３２と伸縮シートの両方が配置された領域の着用時圧力は、伸縮シートのみが配置された領域の着用時圧力よりも高くなることがある。しかし、伸縮部材及び伸縮シートによって着用時圧力を高くする構成にあっては、着用時圧力を高くしすぎると、伸縮部材等による締め付けの跡が身体に残るおそれがある。サイド第２領域ＳＲ２の着用時圧力を前第１領域ＦＣ１の着用時圧力及び前第２領域ＦＣ２の着用時圧力に対する３．０倍以下とすることにより、伸縮部材等による締め付けの跡が身体に残ることを抑制できる。
【００６８】
なお、本実施の形態では、前伸縮部材２２、後伸縮部材３２及び伸縮シートの少なくともいずれかを各領域に配置している。伸縮シートが配置された部分は、全体的に面でフィットし、糸状又は帯状の伸縮部材が配置された部分は、局所的にフィットする。また、伸縮シートと前伸縮部材の両方が配置された領域では、着用時圧力がより高くなり易い。後第１領域ＲＣ１、後第２領域ＲＣ２及び後第３領域ＲＣ３では、伸縮シートが配置されてなく、幅方向の全域に亘って後伸縮部材３２が配置されており、後第４領域ＲＣ４では、伸縮シートが配置されてなく、幅方向の一部（幅方向の両側のみ）に後伸縮部材３２が配置されている。後第４領域ＲＣ４の幅方向の中央では、後伸縮部材３２を構成する弾性部材が非伸長状態で配置されてよい。
【００６９】
前第３領域ＦＣ３及び前第４領域ＦＣ４には、前伸縮部材２２及び伸縮シートが配置されており、前第１領域ＦＣ１及び前第２領域ＦＣ２には、前伸縮部材２２が配置されてなく、伸縮シートのみが配置されている。なお、他の形態において、前第４領域ＦＣ４には、伸縮シートのみが配置されてもよい。
【００７０】
サイド第１領域ＳＲ１からサイド第４領域ＳＲ４は、前胴回り域Ｓ１と後胴回り域Ｓ２において構成が異なる。具体的には、前胴回り域Ｓ１のサイド第１領域ＳＲ１には、前伸縮部材２２が配置されてなく、伸縮シートのみが配置されており、前胴回り域Ｓ１のサイド第２領域ＳＲ２からサイド第４領域ＳＲ４には、前伸縮部材２２及び伸縮シートが配置されている。また、後胴回り域Ｓ２のサイド第１領域ＳＲ１からサイド第４領域ＳＲ４には、伸縮シートが配置されてなく、後伸縮部材３２が配置されている。なお、他の形態において、サイド第４領域ＳＲ４には、伸縮シートのみが配置されてもよい。
【００７１】
後第２領域ＲＣ２の着用時圧力は、前第１領域ＦＣ１の着用時圧力及び前第２領域ＦＣ２の着用時圧力に対する１．２倍以上３．０倍以下であってよく、好適には、１．２倍以上２．５倍以下であってよい。後第２領域ＲＣ２の着用時圧力が前第１領域ＦＣ１の着用時圧力及び前第２領域ＦＣ２の着用時圧力に対する１．２倍以上であるため、骨盤に対する締め付けと腹部の膨らみに対する締め付けとの差を大きくし、快適性をより向上できる。また、後第２領域ＲＣ２の着用時圧力を高くすることにより、着用物品全体における身体に対するフィット性を高め、着用物品がずれ下がりを抑制できる。着用物品を身体の適切な位置に装着し続けることにより、快適性を向上できる。
【００７２】
後第２領域ＲＣ２の着用時圧力が前第１領域ＦＣ１の着用時圧力及び前第２領域ＦＣ２の着用時圧力に対する３．０倍以下であるため、骨盤に対する締め付け力が高すぎることに起因する快適性の低下を抑制できるとともに、伸縮部材等による締め付けの跡が身体に残ることを抑制できる。
【００７３】
サイド第２領域ＳＲ２の着用時圧力は、後第２領域ＲＣ２の着用時圧力よりも低くてよい。サイド第２領域ＳＲ２が対向して配置される骨盤（上前腸骨棘Ｂ１付近）は、後第２領域ＲＣ２が対向して配置される骨盤（上後腸骨棘Ｂ２及び仙骨上方周辺）よりも凸形状である。サイド第２領域ＳＲ２の着用時圧力を後第２領域ＲＣ２の着用時圧力よりも低くすることにより、凸形状である上前腸骨棘周辺に対して締め付け過ぎることを抑制できる。
【００７４】
前第１領域ＦＣ１の着用時圧力及び前第２領域ＦＣ２の着用時圧力は、後第３領域ＲＣ３の着用時圧力よりも低く、かつサイド第３領域ＳＲ３の着用時圧力よりも低くてよい。前第１領域ＦＣ１の着用時圧力及び前第２領域ＦＣ２の着用時圧力が後第３領域ＲＣ３の着用時圧力及びサイド第３領域ＳＲ３の着用時圧力よりも低く、着用者の腹部の膨らみを締め付けすぎない。
【００７５】
また、後第３領域ＲＣ３は、骨盤（仙骨下方）に対向して配置され、サイド第３領域ＳＲ３は、骨盤（下前腸骨棘付近）に対向して配置される。後第３領域ＲＣ３の着用時圧力及びサイド第３領域ＳＲ３の着用時圧力は、前第１領域ＦＣ１の着用時圧力及び前第２領域ＦＣ２の着用時圧力よりも高く、着用者の骨盤を締め付けるようにフィットする。着用物品１０が骨盤に対して締め付けるようにフィットすることにより、着用者が心地よく感じ、快適性が向上する。本実施の形態の着用物品１０によれば、着用者の腹部の膨らみを締め付けず、かつ、骨盤を締め付けることで、着用者の快適性を向上できる。
【００７６】
サイド第３領域ＳＲ３の着用時圧力は、前第１領域ＦＣ１の着用時圧力及び前第２領域ＦＣ２の着用時圧力に対する１．２倍以上３．０倍以下であってよく、好適には、１．５倍以上２．５倍以下であってよい。サイド第２領域ＳＲ２の着用時圧力が前第１領域ＦＣ１の着用時圧力及び前第２領域ＦＣ２の着用時圧力に対する１．２倍以上であるため、骨盤に対する締め付けと腹部の膨らみに対する締め付けとの差を大きくし、快適性をより向上できる。また、サイド第３領域ＳＲ３の着用時圧力を高くすることにより、着用物品全体における身体に対するフィット性を高め、着用物品がずれ下がりを抑制できる。着用物品を身体の適切な位置に装着し続けることにより、快適性を向上できる。
【００７７】
サイド第３領域ＳＲ３の着用時圧力が前第１領域ＦＣ１の着用時圧力及び前第２領域ＦＣ２の着用時圧力に対する３．０倍以下であるため、骨盤に対する締め付け力が高すぎることに起因する快適性の低下を抑制するとともに、伸縮部材等による締め付けの跡が身体に残ることを抑制できる。
【００７８】
サイド第２領域ＳＲ２の着用時圧力は、サイド第３領域ＳＲ３の着用時圧力よりも低くてよい。骨盤は、下前腸骨棘から上前腸骨棘に向かって下側に凸状であり、サイド第３領域ＳＲ３が対向して配置される骨盤（下前腸骨棘付近）は、サイド第２領域ＳＲ２が対向して配置される骨盤（上前腸骨棘Ｂ１付近）よりも、凹んだ部分の面積が大きい。サイド第３領域ＳＲ３の着用時圧力をサイド第２領域ＳＲ２の着用時圧力よりも高くし、骨盤の形状に応じてより適切にフィットできる。また、サイド第２領域ＳＲ２は、幅方向において腹部の膨らみに近接している。装着位置がずれてサイド第２領域ＳＲ２が腹部の膨らみに対向して配置された場合であっても、腹部の膨らみを過度に締め付けることを抑制できる。
【００７９】
後第３領域ＲＣ３の着用時圧力は、前第１領域ＦＣ１の着用時圧力及び前第２領域ＦＣ２の着用時圧力に対する１．１倍以上２．５倍以下であってよく、より好適には、１．２倍以上２．０倍以下であってよい。後第３領域ＲＣ３の着用時圧力が前第１領域ＦＣ１の着用時圧力及び前第２領域ＦＣ２の着用時圧力に対する１．２倍以上であるため、骨盤に対する締め付けと腹部の膨らみに対する締め付けとの差を大きくし、快適性をより向上できる。また、後第３領域ＲＣ３の着用時圧力を高くすることにより、着用物品全体における身体に対するフィット性を高め、着用物品がずれ下がりを抑制できる。着用物品を身体の適切な位置に装着し続けることにより、快適性を向上できる。
【００８０】
後第３領域ＲＣ３の着用時圧力が前第１領域ＦＣ１の着用時圧力及び前第２領域ＦＣ２の着用時圧力に対する３．０倍以下であるため、骨盤に対する締め付け力が高すぎることに起因する快適性の低下を抑制できるとともに、伸縮部材等による締め付けの跡が身体に残ることを抑制できる。
【００８１】
後伸縮部材３２は、後第３領域ＲＣ３に配置されてよい。後伸縮部材３２によって骨盤に対するフィット性を高め、快適性を向上できる。より好適には、後第３領域ＲＣ３に後伸縮部材３２及び伸縮シートを配置し、後第３領域ＲＣ３の着用時圧力を高めてよい。
【００８２】
また、後第３領域ＲＣ３に吸収コアが配置された構成にあっては、後第３領域ＲＣ３の着用時が前第１領域ＦＣ１の着用時圧力及び前第２領域ＦＣ２の着用時圧力に対する２．５倍以下あってよい。後第３領域ＲＣ３の着用時圧力が前第１領域ＦＣ１の着用時圧力及び前第２領域ＦＣ２の着用時圧力に対する２．５倍以下であることにより、後伸縮部材３２の収縮によって吸収コアの幅方向の長さが短くなり過ぎることを抑制できる。吸収面積を確保し、漏れの発生を抑制できる。
【００８３】
後第３領域ＲＣ３の着用時圧力は、後第２領域ＲＣ２の着用時圧力よりも低くてよい。後第３領域ＲＣ３は、後第２領域ＲＣ２よりも臀部の膨らみの頂点の近くに配置される。装着時の着用物品の引き上げが十分でない場合に、後第３領域ＲＣ３が臀部の膨らみの頂点に重なり、臀部の頂点に対して締め付けるようにフィットした後第３領域ＲＣ３が下にずれるおそれがある。後第３領域ＲＣ３の着用時圧力が後第２領域ＲＣ２の着用時圧力よりも低いため、着用物品のずれ下がりを抑制できる。着用物品を身体の適切な位置に装着し続けることにより、快適性を向上できる。
【００８４】
後第４領域ＲＣ４の着用時圧力は、前第１領域ＦＣ１の着用時圧力及び前第２領域ＦＣ２の着用時圧力よりも低くてよい。後第４領域ＲＣ４は、臀部の膨らみの頂点に対向して配置される。臀部の頂点に対する締め付け力が高すぎると、後第４領域ＲＣ４が下にずれるおそれがある。後第４領域ＲＣ４の着用時圧力を抑え、着用物品のずれ下がりを抑制できる。着用物品を身体の適切な位置に装着し続けることにより、快適性を向上できる。
【００８５】
サイド第４領域ＳＲ４の着用時圧力は、前第１領域ＦＣ１の着用時圧力及び前第２領域ＦＣ２の着用時圧力よりも低くてよい。サイド第４領域ＳＲ４は、脚の付け根に対向して配置される。脚の付け根に対する締め付け力が高すぎると、着用者が脚を動かし難くなるおそれがある。サイド第４領域ＳＲ４の着用時圧力を抑え、脚を動かし難くなることに起因する快適性の低下を抑制できる。
【００８６】
また、図１に示すように、サイド第４領域ＳＲ４及び後第４領域ＲＣ４に、吸収性本体と外装体が接合されていない非接合領域ＮＲを設けてもよい。非接合領域ＮＲは、後胴回り部材３０の前端部において、吸収性本体４０の外側部と後胴回り部材３０が接合されていない領域である。図１において、非接合領域に斜線を付して示す。非接合領域ＮＲは、吸収性本体４０の外側縁から幅方向の内側に延び、かつ後胴回り部材３０の前端縁から後方に延びている。非接合領域ＮＲは、サイド第４領域ＳＲ４及び後第４領域ＲＣ４に跨がっている。サイド第４領域ＳＲ４及び後第４領域ＲＣ４に非接合領域ＮＲを設けることにより、サイド第４領域ＳＲ４の着用時圧力及び後第４領域ＲＣ４の着用時圧力を低くすることができる。
【００８７】
前第３領域ＦＣ３の着用時圧力は、前第１領域ＦＣ１の着用時圧力及び前第２領域ＦＣ２の着用時圧力よりも高くてよい。前第３領域ＦＣ３は、着用者の腹部の下端の凹みに対向して配置される。腹部の下端の凹みに配置される前第３領域ＦＣ３が前第１領域ＦＣ１及び前第２領域ＦＣ２よりも凹む形状となる。前中央領域が身体の凹みに沿った形状となるため、前中央領域が身体にフィットし易くなる。前中央領域を身体に対して密着させずに、前中央領域を身体に沿わせてフィットさせ、快適性を向上できる。加えて、着用物品としての吸収性物品においては、体液の吸収によって着用物品の重量が重くなった場合においても、着用物品がずれ下がり難くなる。
【００８８】
前第３領域ＦＣ３の着用時圧力は、前第１領域ＦＣ１の着用時圧力及び前第２領域ＦＣ２の着用時圧力に対する１．２倍以上３．５倍以下であってよく、好適には、１．５倍以上３．０倍以下であってよい。前第３領域ＦＣ３の着用時圧力が前第１領域ＦＣ１の着用時圧力及び前第２領域ＦＣ２の着用時圧力に対する１．２倍以上であるため、前中央領域を身体に沿わせてずれを抑制し、快適性をより向上できる。
【００８９】
前第３領域ＦＣ３の着用時圧力が前第１領域ＦＣ１の着用時圧力及び前第２領域ＦＣ２の着用時圧力に対する２．５倍以下であるため、腹部の下端の凹みに対する締め付け力が高すぎることに起因する快適性の低下を抑制できる。
【００９０】
前第３領域ＦＣ３には、前伸縮部材２２が配置され、前第１領域ＦＣ１及び前第２領域ＦＣ２には、伸縮シートが配置されてよい。伸縮シートが配置された部分は、全体的に面でフィットし、糸状又は帯状の前伸縮部材２２が配置された部分は、局所的にフィットする。腹部の膨らみを覆うように着用物品を配置するとともに、腹部の下端の凹みに対して局所的にフィットすることにより、着用物品がより身体の形状に沿い易くなり、快適性をより向上できる。
【００９１】
前第３領域ＦＣ３には、前伸縮部材２２及び伸縮シートが配置されてよい。前第３領域ＦＣ３には、伸縮シートと前伸縮部材の両方が配置され、着用時圧力がより高くなる。腹部の下端の凹みに対する締め付けと腹部の膨らみに対する締め付けとの差が大きくでき、前中央領域ＦＣを身体により沿うようにフィットさせ、快適性をより向上できる。
【００９２】
後中央領域全体の着用時圧力は、前中央領域全体の着用時圧力よりも大きくてよい。一般的に人が動作をするときには、前側に前屈することが多い。腹側の着用時圧力を低下させることにより締め付けが起り難く、着用者の動作を阻害しない。よって、快適性を向上できる。なお、後中央領域全体の着用時圧力は、後中央領域を構成する後第１領域ＲＣ１から後第４領域ＲＣ４の着用時圧力の合計値であり、前中央領域全体の着用時圧力は、前中央領域を構成する前第１領域ＦＣ１から前第４領域ＦＣ４の着用時圧力の合計値である。
【００９３】
ここで、各領域の着用時圧力は、以下の方法によって測定できる。まず、測定サンプル及び着用者を模式する円筒を準備する。測定サンプルは、前胴回り域及び後胴回り域をサイド接合部において接合した円筒状の着用物品とする。本実施の形態では、前胴回り部材と後胴回り部材を接合した測定サンプルを準備した。円筒は、測定サンプルに応じて作成する。伸長状態における着用物品の胴回り域の長さに対する７０％の外周となるアクリル板の円筒を準備する。本実施の形態では、乳幼児用の使い捨ておむつに順次する測定サンプルであり、46cm周長の円筒を準備した。着用物品を円筒に装着した状態で、各領域の幅方向の中央にエアパックを装着する。エアパックは、着用物品と円筒の間に挿入する。エアパックの直径は、１５ｍｍである。エアパックは、前第１領域ＦＣ１から前第４領域ＦＣ４の４か所、後第１領域ＲＣ１から後第４領域ＲＣ４の４か所、及びサイド第１領域ＳＲ１からサイド第４領域ＳＲ４の４か所のそれぞれに装着する。エアパックの中心が、各領域の幅方向の中心かつ長手方向の中心に位置するようにエアパックを装着する。
【００９４】
合計１２カ所のエアパックを用いて、各部分の圧力を測定する。各部分３回測定して、その平均値を算出する。前第１領域ＦＣ１から前第４領域ＦＣ４の着用時圧力及び後第１領域ＲＣ１から後第４領域ＲＣ４の着用時圧力は、平均値とする。サイド第１領域ＳＲ１からサイド第４領域ＳＲ４の着用時圧力は、左右の領域の圧力の平均値とする。
【００９５】
次いで、着用物品の快適性の評価の実施例を説明する。本実施例においては、近赤外線分光法（NIRS）による脳の血流量変化の測定値に基づいて、着用物品の快適性を評価した。近赤外線分光法（NIRS）による脳の血流量変化では、触刺激を乳幼児の左腰部へ呈示した時の前頭前野（APFC:眼窩前頭皮質(OFC)と前頭極皮質(FPC)）の脳の活動を調べた。脳の活動性は、NIRSで酸素化ヘモグロビン量を測定することによって計測した。快適性の評価は、赤外線分光法（NIRS）による酸素化ヘモグロビン量を測定が高いほど、快適であると評価した。
【００９６】
被験者は、月齢１か月から５カ月の乳幼児３６名である。被験者の体重は４から８kgである。試験サンプルとして、４つのサンプルを準備した。実施例１にかかるサンプルとして、上述の実施形態の前胴回り部材と後胴回り部材を接合したサンプルを準備した。比較例１から比較例３にかかるサンプルとして、各領域の着用時圧力が一定のサンプルを準備した。比較例１に係るサンプルの着用時圧力は、低圧であり、具体的には、各領域の着用時圧力は、５〜９ｈＰａである。比較例２に係るサンプルの着用時圧力は、中圧であり、具体的には、各領域の着用時圧力は、９〜１４ｈＰａである。比較例３に係るサンプルの着用時圧力は、高圧であり、具体的には、各領域の着用時圧力は、１４〜１８ｈＰａである。
【００９７】
実施例１及び比較例１から３にかかるサンプルを用いて、近赤外線分光法（NIRS）で酸素化ヘモグロビン量を測定した。酸素化ヘモグロビン量は、裸の状態と着用状態の差分を計測した。まず、裸の状態で３０秒間、酸素化ヘモグロビン量を測定し、次いで、着用した状態で３０秒間、酸素化ヘモグロビン量を測定した。これを１回として、合計３回測定する。３回の測定値の平均値を各被験者の計測結果とし、３６名の被試験者の平均値を算出した。その計測結果を表２に示す。
【表２】
2020014558.tif 000004
【００９８】
Ｒは、右半球であり、Ｌは、左半球であり、ｂｏｔｈは、右半球と左半球の平均値である。実施例１に係るサンプルでは、右半球、左半球、ｂｏｔｈのいずれも、比較例１から３に係るサンプルよりも高い酸素化ヘモグロビン量となり、着用者の快適性が向上することがわかった。
【産業上の利用可能性】
【００９９】
着用者の快適性をより向上できる着用物品を提供することができる。
【符号の説明】
【０１００】
１０    着用物品
２０    前胴回り部材
２２    前伸縮部材
３０    後胴回り部材
３２    後伸縮部材
５０    吸収コア
６０    サイド接合部
ＦＣ    前中央領域
ＦＣ１  前第１領域
ＦＣ２  前第２領域
ＦＣ３  前第３領域
ＦＣ４  前第４領域
ＳＲ    サイド領域
ＳＲ１  サイド第１領域
ＳＲ２  サイド第２領域
ＳＲ３  サイド第３領域
ＳＲ４  サイド第４領域
ＲＣ    後中央領域
ＲＣ１  後第１領域
ＲＣ２  後第２領域
ＲＣ３  後第３領域
ＲＣ４  後第４領域
Ｓ１    前胴回り域
Ｓ２    後胴回り域
Ｓ３    股下域
Ｌ      長手方向
Ｗ      幅方向
【図１】
2020014558.tif 000005
【図２】
2020014558.tif 000006
【図３】
2020014558.tif 000007
【図４】
2020014558.tif 000008
【図５】
2020014558.tif 000009
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の前端縁から前記後中央領域の前記長手方向の全長に対する３０〜６０％の後第２領域を有し、
前記サイド領域は、前記サイド領域の前端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記後中央領域は、前記後中央領域の前端縁から前記後中央領域の前記長手方向の全長に対する６０〜８０％の後第３領域を有し、
前記サイド領域は、前記サイド領域の前端縁から前記サイド領域の前記長手方向の全長に対する６０〜８０％のサイド第３領域を有し、
前記前第１領域の前記着用時の圧力及び前記前第２領域の前記着用時の圧力は、前記後第３領域の前記着用時の圧力よりも低く、かつ前記サイド第３領域の前記着用時の圧力よりも低く、  
前記後第３領域の前記着用時の圧力は、前記後第２領域の前記着用時の圧力よりも低い、着用物品。
【請求項２】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の前端縁から前記後中央領域の前記長手方向の全長に対する３０〜６０％の後第２領域を有し、
前記サイド領域は、前記サイド領域の前端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記後中央領域は、前記後中央領域の前端縁から前記後中央領域の前記長手方向の全長に対する８０〜１００％の後第４領域を有し、
前記後第４領域の前記着用時の圧力は、前記前第１領域の前記着用時の圧力及び前記前第２領域の前記着用時の圧力よりも低い、着用物品。
【請求項３】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の前端縁から前記後中央領域の前記長手方向の全長に対する３０〜６０％の後第２領域を有し、
前記サイド領域は、前記サイド領域の前端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記サイド領域は、前記サイド領域の前端縁から前記サイド領域の前記長手方向の全長に対する８０〜１００％のサイド第４領域を有し、
前記サイド第４領域の圧力は、前記前第１領域の圧力及び前記前第２領域の圧力よりも低い、着用物品。
【請求項４】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の前端縁から前記後中央領域の前記長手方向の全長に対する３０〜６０％の後第２領域を有し、
前記サイド領域は、前記サイド領域の前端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記前中央領域は、前記前中央領域の前端縁から前記前中央領域の前記長手方向の全長に対する６０〜８０％の前第３領域を有し、
前記前第３領域の前記着用時の圧力は、前記前第１領域の前記着用時の圧力及び前記前第２領域の前記着用時の圧力よりも高く、
前記前胴回り域には、前記幅方向に伸縮する糸状又は帯状の前伸縮部材と、少なくとも前記幅方向に伸縮する伸縮シートと、が設けられており、
前記前第３領域には、前記前伸縮部材が配置されており、
前記前第１領域及び前記前第２領域には、前記伸縮シートが配置されている、着用物品。
【請求項５】
前記前第３領域の前記着用時の圧力は、前記前第１領域の前記着用時の圧力及び前記前第２領域の前記着用時の圧力に対する１．２倍以上３．５倍以下である、請求項４に記載の着用物品。
【請求項６】
前記前第３領域には、前記前伸縮部材及び前記伸縮シートが配置されている、請求項４又は請求項５に記載の着用物品。
【請求項７】
前記後中央領域は、前記後中央領域の前端縁から前記後中央領域の前記長手方向の全長に対する６０〜８０％の後第３領域を有し、
前記サイド領域は、前記サイド領域の前端縁から前記サイド領域の前記長手方向の全長に対する６０〜８０％のサイド第３領域を有し、
前記前第１領域の前記着用時の圧力及び前記前第２領域の前記着用時の圧力は、前記後第３領域の前記着用時の圧力よりも低く、かつ前記サイド第３領域の前記着用時の圧力よりも低い、請求項２から請求項６のいずれか１項に記載の着用物品。
【請求項８】
前記サイド第３領域の前記着用時の圧力は、前記前第１領域の前記着用時の圧力及び前記前第２領域の前記着用時の圧力に対する１．２倍以上３．０倍以下である、請求項１又は請求項７に記載の着用物品。
【請求項９】
前記後第３領域の前記着用時の圧力は、前記前第１領域の前記着用時の圧力及び前記前第２領域の前記着用時の圧力に対する１．１倍以上２．５倍以下である、請求項１、請求項７及び請求項８のいずれか１項に記載の着用物品。
【請求項１０】
前記後胴回り域には、前記幅方向に伸縮する糸状又は帯状の後伸縮部材が設けられており、
前記後伸縮部材は、前記後第３領域に配置されており、
前記後第３領域には、吸収コアが配置されている、請求項９に記載の着用物品。
【請求項１１】
前記後胴回り域には、前記幅方向に伸縮する糸状又は帯状の後伸縮部材が設けられており、
前記後伸縮部材は、前記後第３領域に配置されている、請求項１、請求項７、請求項８、及び請求項９のいずれか１項に記載の着用物品。
【請求項１２】
前記サイド第２領域の前記着用時の圧力は、前記前第１領域の前記着用時の圧力及び前記前第２領域の前記着用時の圧力に対する１．２倍以上３．０倍以下である、請求項１から請求項１１のいずれか１項に記載の着用物品。
【請求項１３】
前記後第２領域の前記着用時の圧力は、前記前第１領域の前記着用時の圧力及び前記前第２領域の前記着用時の圧力に対する１．２倍以上３．０倍以下である、請求項１から請求項１２のいずれか１項に記載の着用物品。
【請求項１４】
前記後中央領域全体の前記着用時の圧力は、前記前中央領域全体の前記着用時の圧力よりも大きい、請求項１から請求項１３のいずれか１項に記載の着用物品。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の後端縁から前記後中央領域の前記長手方向の全長に対する３０〜６０％の後第２領域を有し、
前記サイド領域は、前記サイド領域の前記長手方向の外端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記後中央領域は、前記後中央領域の後端縁から前記後中央領域の前記長手方向の全長に対する６０〜８０％の後第３領域を有し、
前記サイド領域は、前記サイド領域の前記長手方向の外端縁から前記サイド領域の前記長手方向の全長に対する６０〜８０％のサイド第３領域を有し、
前記前第１領域の前記着用時の圧力及び前記前第２領域の前記着用時の圧力は、前記後第３領域の前記着用時の圧力よりも低く、かつ前記サイド第３領域の前記着用時の圧力よりも低く、
前記後第３領域の前記着用時の圧力は、前記後第２領域の前記着用時の圧力よりも低い、着用物品。
【請求項２】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の後端縁から前記後中央領域の前記長手方向の全長に対する３０〜６０％の後第２領域を有し、
前記サイド領域は、前記サイド領域の前記長手方向の外端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記後中央領域は、前記後中央領域の後端縁から前記後中央領域の前記長手方向の全長に対する８０〜１００％の後第４領域を有し、
前記後第４領域の前記着用時の圧力は、前記前第１領域の前記着用時の圧力及び前記前第２領域の前記着用時の圧力よりも低い、着用物品。
【請求項３】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の後端縁から前記後中央領域の前記長手方向の全長に対する３０〜６０％の後第２領域を有し、
前記サイド領域は、前記サイド領域の前記長手方向の外端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記サイド領域は、前記サイド領域の前記長手方向の外端縁から前記サイド領域の前記長手方向の全長に対する８０〜１００％のサイド第４領域を有し、
前記サイド第４領域の圧力は、前記前第１領域の圧力及び前記前第２領域の圧力よりも低い、着用物品。
【請求項４】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する着用物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、を有し、
前記後中央領域は、前記後中央領域の後端縁から前記後中央領域の前記長手方向の全長に対する３０〜６０％の後第２領域を有し、
前記サイド領域は、前記サイド領域の前記長手方向の外端縁から前記サイド領域の前記長手方向の全長に対する３０〜６０％のサイド第２領域を有し、
前記前第１領域の前記着用物品の着用時の圧力及び前記前第２領域の前記着用時の圧力は、前記後第２領域の前記着用時の圧力よりも低く、かつ前記サイド第２領域の前記着用時の圧力よりも低く、
前記前中央領域は、前記前中央領域の前端縁から前記前中央領域の前記長手方向の全長に対する６０〜８０％の前第３領域を有し、
前記前第３領域の前記着用時の圧力は、前記前第１領域の前記着用時の圧力及び前記前第２領域の前記着用時の圧力よりも高く、
前記前胴回り域には、前記幅方向に伸縮する糸状又は帯状の前伸縮部材と、少なくとも前記幅方向に伸縮する伸縮シートと、が設けられており、
前記前第３領域には、前記前伸縮部材が配置されており、
前記前第１領域及び前記前第２領域には、前記伸縮シートが配置されている、着用物品。
【請求項５】
前記前第３領域の前記着用時の圧力は、前記前第１領域の前記着用時の圧力及び前記前第２領域の前記着用時の圧力に対する１．２倍以上３．５倍以下である、請求項４に記載の着用物品。
【請求項６】
前記前第３領域には、前記前伸縮部材及び前記伸縮シートが配置されている、請求項４又は請求項５に記載の着用物品。
【請求項７】
前記後中央領域は、前記後中央領域の後端縁から前記後中央領域の前記長手方向の全長に対する６０〜８０％の後第３領域を有し、
前記サイド領域は、前記サイド領域の前記長手方向の外端縁から前記サイド領域の前記長手方向の全長に対する６０〜８０％のサイド第３領域を有し、
前記前第１領域の前記着用時の圧力及び前記前第２領域の前記着用時の圧力は、前記後第３領域の前記着用時の圧力よりも低く、かつ前記サイド第３領域の前記着用時の圧力よりも低い、請求項２から請求項６のいずれか１項に記載の着用物品。
【請求項８】
前記サイド第３領域の前記着用時の圧力は、前記前第１領域の前記着用時の圧力及び前記前第２領域の前記着用時の圧力に対する１．２倍以上３．０倍以下である、請求項１又は請求項７に記載の着用物品。
【請求項９】
前記後第３領域の前記着用時の圧力は、前記前第１領域の前記着用時の圧力及び前記前第２領域の前記着用時の圧力に対する１．１倍以上２．５倍以下である、請求項１、請求項７及び請求項８のいずれか１項に記載の着用物品。
【請求項１０】
前記後胴回り域には、前記幅方向に伸縮する糸状又は帯状の後伸縮部材が設けられており、
前記後伸縮部材は、前記後第３領域に配置されており、
前記後第３領域には、吸収コアが配置されている、請求項９に記載の着用物品。
【請求項１１】
前記後胴回り域には、前記幅方向に伸縮する糸状又は帯状の後伸縮部材が設けられており、
前記後伸縮部材は、前記後第３領域に配置されている、請求項１、請求項７、請求項８、及び請求項９のいずれか１項に記載の着用物品。
【請求項１２】
前記サイド第２領域の前記着用時の圧力は、前記前第１領域の前記着用時の圧力及び前記前第２領域の前記着用時の圧力に対する１．２倍以上３．０倍以下である、請求項１から請求項１１のいずれか１項に記載の着用物品。
【請求項１３】
前記後第２領域の前記着用時の圧力は、前記前第１領域の前記着用時の圧力及び前記前第２領域の前記着用時の圧力に対する１．２倍以上３．０倍以下である、請求項１から請求項１２のいずれか１項に記載の着用物品。
【請求項１４】
前記後中央領域全体の前記着用時の圧力は、前記前中央領域全体の前記着用時の圧力よりも大きい、請求項１から請求項１３のいずれか１項に記載の着用物品。